(57)【要約】【課題】商品表示体を位置ずれや脱落を生じることなく確実に取付けることのできるオープンショーケースを提供する。【解決手段】表示体保持部材４０の上下一対の係止部４１によって商品表示体Ａの上端及び下端を係止するとともに、表示体保持部材４０の下端側に形成した延出部４２をショーケース本体１０の化粧枠１４に形成した嵌合溝１４ａに嵌合するようにしたので、表示体保持部材４０をショーケース本体１０に確実に取付けることができるとともに、商品表示体Ａを表示体保持部材４０に確実に保持することができ、例えば商品を取出す際に手が商品表示体Ａに接触することにより生じる商品表示体Ａ及び表示体保持部材４０の位置ずれや脱落を防止することができる。【選択図】図７
2006141791.tif 000002
【特許請求の範囲】
【請求項１】
前面に開口部を有するショーケース本体と、商品名、商品価格等を表示する商品表示体を保持可能な表示体保持部材と、ショーケース本体の開口部の下端側に位置する化粧枠とを備えたオープンショーケースにおいて、
前記表示体保持部材に、商品表示体の上端及び下端を係止する上下一対の係止部と、化粧枠に着脱自在に嵌合可能な嵌合部を設け、
化粧枠には嵌合部と嵌合可能な嵌合溝を設けた
ことを特徴とするオープンショーケース。
【請求項２】
前記表示体保持部材をショーケース本体の開口部の幅方向に亘って延びるように形成した
ことを特徴とする請求項１記載のオープンショーケース。
【請求項３】
前記表示体保持部材の前面側を覆う保護カバーを設けた
ことを特徴とする請求項１または２記載のオープンショーケース。
【請求項４】
前記表示体保持部材を前面側が斜め上方に臨むように形成した
ことを特徴とする請求項１、２または３記載のオープンショーケース。
【請求項５】
前記嵌合溝を化粧枠の幅方向に亘って形成した
ことを特徴とする請求項１記載のオープンショーケース。
【発明の詳細な説明】
【技術分野】
【０００１】
本発明は、スーパーマーケットやコンビニエンスストア等の店舗に設置され、商品の情報を表示した商品表示体を保持するためのオープンショーケースに関するものである。
【背景技術】
【０００２】
従来、この種のオープンショーケースとしては、商品名、商品価格等を表示する商品表示体をショーケース本体に配置するために、商品表示体の上端及び下端を係止可能な係止部を設けた表示体保持部材をショーケース本体の前面開口部の下端に位置する化粧枠の上面に取付け、その表示体保持部材によって商品表示体を保持するようにしたものが知られている（例えば、特許文献１参照）。しかしながら、前記表示体保持部材は化粧枠の上面に貼付けられるようになっているため、化粧枠の前後方向の寸法よりも大きな商品表示体を保持することができないという欠点がある。
【０００３】
そこで、ワイヤ状部材によって形成された表示体保持部材をショーケース本体の前面開口部の下端側に設けられた空気吸入口に挿入して取付け、上下方向の寸法の大きな商品表示体を表示体保持部材に係止するようにしたものが知られている（例えば、特許文献２参照）。
【特許文献１】特開平０５−３０５０２２号公報
【特許文献２】特開２０００−１１６４７５号公報
【発明の開示】
【発明が解決しようとする課題】
【０００４】
しかしながら、ワイヤ状部材によって形成された表示体保持部材を空気吸入口に取付けるようにしたものでは、断面コ字状に形成された商品表示体の上端を表示体保持部材に係止するようにしているため、例えば商品を取出す際に手が商品表示体に接触することにより、商品表示体が位置ずれを生じたり脱落するという問題点があった。
【０００５】
本発明は前記問題点に鑑みてなされたものであり、その目的とするところは、商品表示体を位置ずれや脱落を生じることなく確実に取付けることのできるオープンショーケースを提供することにある。
【課題を解決するための手段】
【０００６】
本発明は前記目的を達成するために、前面に開口部を有するショーケース本体と、商品名、商品価格等を表示する商品表示体を保持可能な表示体保持部材と、ショーケース本体の開口部の下端側に位置する化粧枠とを備えたオープンショーケースにおいて、前記表示体保持部材に、商品表示体の上端及び下端を係止する上下一対の係止部と、化粧枠に着脱自在に嵌合可能な嵌合部を設け、化粧枠には嵌合部と嵌合可能な嵌合溝を設けている。
【０００７】
これにより、表示体保持部材の嵌合部がショーケース本体側に設けられた嵌合溝に嵌合するとともに、商品表示体の上端及び下端が表示体保持部材の係止部に係止されることから、表示体保持部材がショーケース本体に確実に取付けられるとともに、商品表示体が表示体保持部材に確実に保持される。
【発明の効果】
【０００８】
本発明によれば、表示体保持部材をショーケース本体に確実に取付けることができるとともに、商品表示体を表示体保持部材に確実に保持することができるので、例えば商品を取出す際に手が商品表示体に接触することにより生じる商品表示体及び表示体保持部材の位置ずれや脱落を防止することができる。
【発明を実施するための最良の形態】
【０００９】
図１乃至図８は本発明の一実施形態を示すもので、図１はオープンショーケースの全体斜視図、図２はオープンショーケースの側面断面図、図３はオープンショーケースの要部斜視図、図４はオープンショーケースの要部分解斜視図、図５乃至図７は商品表示体の取付け手順を示すオープンショーケースの要部側面断面図、図８は上下方向の寸法が小さい商品表示体を取付けた場合を示すオープンショーケースの要部側面断面図である。
【００１０】
このオープンショーケースは、前面に開口部を有するショーケース本体１０と、ショーケース本体１０内に形成された商品収納部２０と、商品収納部２０内に取付けられた上下複数段の商品棚３０とから構成されている。
【００１１】
ショーケース本体１０は、前面側、上面側、背面側及び底面側を断熱壁１１によって覆われるとともに、左右両側面側をそれぞれ略断面コ字状の断熱壁１２とガラス板１３によって覆われている。
【００１２】
商品収納部２０は、断熱壁１１と間隔をおいて上面板２１、背面板２２及び底板２３を配置することにより形成され、その内部に商品を収納するようになっている。また、断熱壁１１と上面板２１、背面板２２及び底板２３との間には通風路２４が形成され、その内部には商品収納部２０内の空気を流通させる送風機２５と、通風路２４内を流通する空気を冷却する冷却器２６が配置されている。
【００１３】
各商品棚３０は、商品を載置する棚板３１と、棚板３１の幅方向両端側を支持する一対の支持部材３２とを備えている。各支持部材３２の後端部にはショーケース本体１０と係合する係合片３２ａが設けられ、商品収納部２０の背面側に上下方向に延びるように設けられた棚柱３３の係合孔３３ａと係合することにより商品棚３０が支持されるようになっている。
【００１４】
このように構成されたオープンショーケースにおいて、送風機２５によって開口部下端に設けられた空気吸入口２４ａから吸入された空気は、通風路２４内を流通して冷却器２６によって冷却された後、開口部の上端に設けられた空気吐出口２４ｂから吐出される。これにより、ショーケース本体１０の開口部にはエアカーテンが形成されるとともに、商品収納部２０内が冷却され、商品棚３０に陳列された商品は冷却保存される。
【００１５】
また、このオープンショーケースは、商品名、商品価格等を表示する商品表示体Ａを取付けるために、空気吸込口２４ａの前面側に位置する化粧枠１４に着脱自在に設けられ、商品表示体Ａを保持する表示体保持部材４０と、表示体保持部材４０の前面を覆う保護カバー５０とを備えている。
【００１６】
表示体保持部材４０は、合成樹脂を射出成型することにより形成された幅方向に延びる板状部材からなり、ショーケース本体１０の前面開口部の幅方向寸法と略同一に形成されている。また、表示体保持部材４０の前面は斜め上方に臨むように設けられ、その上端側及び下端側には商品表示体Ａの上端及び下端を係止可能な係止部４１がそれぞれ形成されている。更に、表示体保持部材４０の下端側には幅方向に亘って下方に嵌合部としての延出部４２が形成され、延出部４２は化粧枠１４の上面に幅方向に亘って設けられた嵌合溝１４ａに嵌合するようになっている。
【００１７】
保護カバー５０は、合成樹脂からなる透明板によって形成され、上端側を断面コ字状に形成することにより表示体保持部材４０の上端と係合する係合部５１が設けられている。
【００１８】
以上のように構成されたオープンショーケースにおいて、オープンショーケースに陳列される商品の商品名または価格等を表示する場合には、まず、図５に示すように、表示体保持部材４０の延出部４２をショーケース本体の化粧枠１４に設けられた嵌合溝１４ａに嵌合して、表示体保持部材４０をショーケース本体１０に取付ける。次に、図６に示すように、商品表示体Ａの上端及び下端をそれぞれ表示体保持部材４０の上端側及び下端側の係止部４１に係止することにより商品表示体Ａを表示体保持部４０に保持させた後、表示体保持部材４０の上端に保護カバー５０の係合部５１を係合させることにより、図７に示すように、表示体保持部材４０に保持された商品表示体Ａは保護カバー５０によって覆われる。このとき、商品表示体Ａの上下方向の寸法が表示体保持部材４０の各係止部間の距離よりも小さい場合には、図８に示すように、商品表示体Ａを下端側の係止部４１のみに係止するとともに、保護カバー５０によって商品表示体Ａの前面を覆うことから、上下方向の寸法に関わらず商品表示体Ａを保持することが可能となる。
【００１９】
このように、本実施形態によれば、表示体保持部材４０の上下一対の係止部４１によって商品表示体Ａの上端及び下端を係止するとともに、表示体保持部材４０の下端側に形成した延出部４２をショーケース本体１０の化粧枠１４に形成した嵌合溝１４ａに嵌合するようにしたので、表示体保持部材４０をショーケース本体１０に確実に取付けることができるとともに、商品表示体Ａを表示体保持部材４０に確実に保持することができ、例えば商品を取出す際に手が商品表示体Ａに接触することにより生じる商品表示体Ａ及び表示体保持部材４０の位置ずれや脱落を防止することができる。
【００２０】
また、表示体保持部材４０をショーケース本体１０の前面開口部の幅方向に亘って延びるように形成したので、一つの表示体保持部４０によって幅方向寸法の大きな商品表示体Ａや複数の商品表示体Ａを保持することができ、商品表示体Ａを整然と配置することができる。
【００２１】
また、保護カバー５０によって表示体保持部材４０の前面側を覆うようにしたので、保護カバー５０によって商品表示体Ａの全体を覆うことができ、商品表示体Ａの上下方向の寸法が表示体保持部材４０の各係止部４１間の寸法よりも小さな場合にも商品表示体Ａを表示体保持部材４０に保持することができる。
【００２２】
また、表示体保持部材４０の前面側を斜め上方に臨むように形成したので、商品表示体Ａを上方から容易に目視することができ、利用客に対して販売促進効果を向上させることができる。
【００２３】
尚、前記実施形態では、表示体保持部材４０の前面側に上下一対の係止部４１を形成し、商品表示体Ａの上端及び下端を係止するとともに、保護カバーによって表示体保持部材４０に保持された商品表示体Ａを前面側から覆うようにしたものを示したが、図９に示すように、表示体保持部材６０を透明な合成樹脂等から形成し、その背面側に商品表示体Ａを係止する係止部６１を形成するようにしてもよい。この場合、表示体保持部材６０の前面側に保護カバー５０を必要とすることなく、上下方向の寸法の異なる商品表示体Ａを保持することが可能となる。
【００２４】
また、前記実施形態では、表示体保持部材４０をショーケース本体１０の前面開口部の幅方向に亘って形成したものを示したが、図１０に示すように、表示体保持部材７０の幅方向寸法を所定の大きさに形成し、化粧枠１４の幅方向に亘って形成された嵌合溝１４ａに複数の表示体保持部材７０を配置するようにしてもよい。この場合、化粧枠１４に形成された嵌合溝１４ａは幅方向に亘って形成されているので、表示体保持部材７０を化粧枠１４の幅方向任意の位置に配置することができ、商品表示体Ａを幅方向に自由に配置することができる。
【００２５】
また、前記実施形態では、表示体保持部材４０を合成樹脂の射出成型により形成したものを示したが、表示体保持部材４０を金属製の板状部材によって形成するようにしてもよい。
【図面の簡単な説明】
【００２６】
【図１】オープンショーケースの全体斜視図
【図２】オープンショーケースの側面断面図
【図３】オープンショーケースの要部斜視図
【図４】オープンショーケースの要部分解斜視図
【図５】商品表示体の取付け手順を示すオープンショーケースの要部側面断面図
【図６】商品表示体の取付け手順を示すオープンショーケースの要部側面断面図
【図７】商品表示体の取付け手順を示すオープンショーケースの要部側面断面図
【図８】上下方向の寸法が小さい商品表示体を取付けた場合を示すオープンショーケースの要部側面断面図
【図９】表示体保持部材の他の例を示すオープンショーケースの要部側面断面図
【図１０】表示体保持部材の他の例を示すオープンショーケースの要部正面断面図
【符号の説明】
【００２７】
１０…ショーケース本体、１４…化粧枠、１４ａ…嵌合溝、４０…表示体保持部、４１…係止部、４２…延出部、５０…保護カバー、５１…係合部、Ａ…商品表示体。
【図１】
2006141791.tif 000003
【図２】
2006141791.tif 000004
【図３】
2006141791.tif 000005
【図４】
2006141791.tif 000006
【図５】
2006141791.tif 000007
【図６】
2006141791.tif 000008
【図７】
2006141791.tif 000009
【図８】
2006141791.tif 000010
【図９】
2006141791.tif 000011
【図１０】
2006141791.tif 000012